(57)【要約】      （修正有）【課題】簡単に設置できる集水キットを提供する。【解決手段】地面に掘られた穴４に設置され、大気中の水分を結露させて収集する集水キット１０であって、透明性を有する樹脂材料で形成された集水体２０を備え、集水体２０は、結露した水分を案内する凸状部２１を有する。また、集水キット１０は、集水体２０で集水された水分を貯留する貯留容器３０を備える。【選択図】図１
0003206618.tif 000002
【実用新案登録請求の範囲】
【請求項１】
大気中の水分を結露させて収集する集水キットであって、
透明性を有する樹脂材料で形成された集水体を備え、
前記集水体は、結露した水分を案内する凸状部を有する
ことを特徴とする集水キット。
【請求項２】
前記凸状部は、着脱可能である
ことを特徴とする請求項１に記載の集水キット。
【請求項３】
前記集水キットは、前記集水体を設置する設置手段を備える
ことを特徴とする請求項１又は２に記載の集水キット。
【請求項４】
前記集水キットは、前記集水体で集水された水分を貯留する貯留容器を備える
ことを特徴とする請求項１から３までのいずれか１項に記載の集水キット。
【請求項５】
前記集水体は、前記貯留容器に収納可能である
ことを特徴とする請求項４に記載の集水キット。
【請求項６】
前記貯留容器は、通気穴を有する
ことを特徴とする請求項４又は５に記載の集水キット。
【考案の詳細な説明】
【技術分野】
【０００１】
本考案は、大気中の水分を収集する集水キットに関する。
【背景技術】
【０００２】
大地震などの災害時には、被災地ではライフラインとして水が必須であるが、水道管の破損や、交通輸送事情などにより水の補給が途絶えることがある。
【０００３】
そこで、水道や輸送によらず水を得る手段として、大気中の水分を収集する装置が知られている（特許文献１及び２参照）。また、地面に穴を掘り、ビニールシートを穴の開口に張り、地中あるいは大気中の水分を結露させ、集水する方法も知られている。（非特許文献１参照）
【先行技術文献】
【特許文献】
【０００４】
【特許文献１】特開２００６−３１６４０２号公報
【特許文献２】特開２０１０−１２５３４５号公報
【非特許文献】
【０００５】
【非特許文献１】著者不明，“簡単サバイバル術”，“太陽蒸留器で水を作る方法”，［online］，平成２６年６月１０日，インターネット  ＜URL  http://phase-magazine.com/survival_techniques/＞
【考案の概要】
【考案が解決しようとする課題】
【０００６】
しかしながら、特許文献１及び２にみられる装置は、大掛かりで、定置的なものであるため、災害時すぐに利用することは困難である。一方、非特許文献１にみられる装置は、簡易な構造ではあるが、ビニールシートを張る作業に手間が掛かる。
【０００７】
そこで、本考案は、簡単に設置できる集水キットを提供することを目的とする。
【課題を解決するための手段】
【０００８】
（１）本考案に係る一つの態様は、大気中の水分を結露させて収集する集水キットであって、透明性を有する樹脂材料で形成された集水体を備え、前記集水体は、結露した水分を案内する凸状部を有することを特徴とする。
【０００９】
（２）上記（１）の態様において、前記凸状部は、着脱可能であってもよい。
【００１０】
（３）上記（１）又は（２）の態様において、前記集水キットは、前記集水体を設置する設置手段を備えてもよい。
【００１１】
（４）上記（１）から（３）までのいずれか一つの態様において、前記集水キットは、前記集水体で集水された水分を貯留する貯留容器を備えてもよい。
【００１２】
（５）上記（４）の態様において、前記集水体は、前記貯留容器に収納可能であってもよい。
【００１３】
（６）上記（４）又は（５）の態様において、前記貯留容器は、通気穴を有してもよい。
【考案の効果】
【００１４】
本考案によれば、簡単に設置できる集水キットを提供することができる。
【図面の簡単な説明】
【００１５】
【図１】本考案の実施形態１に係る集水キット１０を設置した状態を示す説明図である。
【図２】集水体２０の、（ａ）展開状態を示す斜視図、（ｂ）折畳状態を示す斜視図である。
【図３】（ａ）凸状部２１を示す説明図、（ｂ）ノズル２２を示す説明図である。
【図４】貯留容器３０を示す、（ａ）断面図、（ｂ）集水体２０を収納した状態を示す説明図である。
【図５】本考案の実施形態２に係る集水キット１を設置した状態を示す説明図である。
【図６】集水体２を示す、（ａ）側面図、（ｂ）底面図である。
【図７】貯留容器３を示す、（ａ）上面図、（ｂ）側面図である。
【考案を実施するための形態】
【００１６】
以下、本考案を実施するための形態（以下、「実施形態１」と称する）について、図面を参照しながら詳細に説明する。なお、実施形態の説明の全体を通じて同じ要素には同じ符号を付して説明する。また、表面及び上方は大気側を、裏面及び下方は地面（地中）側を指すものとする。
【００１７】
つぎに、実施形態１について説明する。
図１は、本考案の実施形態１に係る集水キット１０を設置した状態を示す説明図である。
図１に示される集水キット１０は、大気中の水分を結露させて収集するものであって、地面に掘られた穴４に設置される。この集水キット１０は、集水体２０と貯留容器３０とを備える。なお、大気中の水分には、地中や植物から大気に放出されるものも含まれる。
【００１８】
図２は、集水体２０の、（ａ）展開状態を示す斜視図、（ｂ）折畳状態を示す斜視図である。
図２に示される集水体２０は、傘状のものであり、穴４の開口の周囲に設置される。集水体２０の本体２０ａは、透明性を有する樹脂材料で形成されており、ループ２０ｄに挿入された傘骨２０ｂ，２０ｃにより支持されている。本体２０ａは、透明性を有することで、太陽光を穴４の内部に導くことができる。
【００１９】
そして、集水体２０は、２つ又は三つ折りの折畳み傘のように、傘骨２０ｂ，２０ｃを折畳むことで、あるいは、傘骨２０ｂ，２０ｃを取り外して集水体２０を折畳むことで、コンパクトになり、携帯可能な大きさとなる。
【００２０】
また、傘骨２０ｃは、設置手段として機能し、地中に突刺せるように、先端が鋭利な形状であるとよく、返しがあると、地中から抜け難くなり更によい。
【００２１】
図３は、（ａ）凸状部２１を示す説明図、（ｂ）ノズル２２を示す説明図である。
また、集水体２０は、傘の石突に相当する部分の先端に凸状部２１を有している。この凸状部２１を穴４の内部に位置させることにより、集水体２０に結露した水分は、この先端付近に案内される。なお、実施形態では、凸状部２１は、略円錐形状であるが、三角錐又は四角錐あるいは針状などであってもよく、材質は、ある程度重量があって集水体２０を下方にたわませる錘となるようなものがよく、プラスチックでも金属でもよい。
【００２２】
ところで、この凸状部２１は、ナットなどで本体２０ａに取付けられているため、着脱可能となっている。凸状部２１が取り外された本体２０ａには、別に準備されたノズル２２を装着することができる。天候が悪い雨天などの場合、本体２０ａにノズル２２を装着することで、雨を集水体２０で集水し、ノズル２２の通路から下方の貯留容器３０に雨水を貯留することができる。
【００２３】
図４は、貯留容器３０を示す、（ａ）断面図、（ｂ）集水体２０を収納した状態を示す説明図である。
図４に示される貯留容器３０は、集水体２で集水された水分を貯留するものである。この貯留容器３０は、樹脂材料製で、天面（設置時に上方となる面。）が開口された略円筒形状に形成されている。貯留容器３０は、穴４に設置したときに、集水体２０との間に所定の隙間を有する長さ及び大きさであるが、折畳んだ集水体２０の本体２０ａ、傘骨２０ｂ，２０ｃ、ノズル２２などが収納可能な長さ及び大きさに形成されている。集水体２０が収納可能な大きさであれば、もっと短く、小さい、１０００ｍｌや５００ｍｌのＰＥＴボトル程度のものでもよく、より携帯し易い大きさとなる。
【００２４】
図１に戻って、集水キット１０の設置方法及び集水作用について説明する。
【００２５】
（設置方法）
まず、地面に所定の大きさの穴４を掘り、集水キット１０の貯留容器３０を、開口が上方となるように、地面に掘られた穴４の底に設置する。
【００２６】
つぎに、集水キット１０の集水体２０を、地面に掘られた穴４の開口を塞ぐように、裏面の凸状部２１を下向きに設置する。このとき、設置手段である傘骨２０ｃを地中に突刺して、集水体２０の本体２０ａを設置する。このようにして、携帯可能な集水キット１を、簡単に穴４に設置することができる。
【００２７】
（集水作用）
集水キット１０の設置後、太陽光が、透明性を有する集水体２０を通過し、穴４の内部に到達すると、穴４の内部は、温度が上昇する。穴４の内部温度が上昇すると、穴４の内部の空気中の水分も温められる。また、穴４の周囲の湿った土や自生する植物から水分が蒸発し始める。
【００２８】
水分又は水蒸気は温められると、空気とともに上昇し、集水体２０の裏面に接触する。このとき、集水体２０の表面と裏面の間には、表面側が低温となる温度差が生じているから、接触した水分又は水蒸気が集水体２０の裏面で結露する。
【００２９】
結露した水分は、ある程度大きくなると、自重により凸状部２１の先端まで案内され、さらに、先端から下方に滴下し始める。凸状部２１の先端から滴下した水分は、貯留容器３０に収集され貯留される。
【００３０】
なお、上記実施形態１では、集水体２０の本体２０ａは、傘骨２０ｂ，２０ｃで支持されたが、傘骨２０ｃだけで、穴４の周囲に固定してもよい。あるいは、設置手段は、いわゆる傘骨２０ｃでなく、アンカーやペグなどでもよく、これらを本体２０ａの周囲に形成された開口を通すことにより、穴４の周囲に固定してもよい。
【００３１】
また、貯留容器３０の開口は、図示されない蓋体（キャップ）などがネジや係合により取付けられ、覆われるように構成されてもよい。また、貯留容器３０は、天面の開口付近に貯留容器３０の内外を連通する通気穴を有してもよい。くわえて、集水・貯留した水をろ過する浄水用フィルタなどが、貯留容器３０内に収容されたり、蓋体に取付けられたりしてもよい。
【００３２】
つぎに、実施形態２について説明する
図５は、本考案の実施形態２に係る集水キット１を設置した状態を示す説明図である。
図５に示される集水キット１は、実施形態１と同じく、大気中の水分を結露させて収集するものであって、地面に掘られた穴４に設置される。この集水キット１は、集水体２と貯留容器３とを備える。
【００３３】
図６は、集水体２を示す、（ａ）側面図、（ｂ）底面図である。
図６に示される集水体２は、略円板形状であり、穴４の開口の周囲に設置される。集水体２は、穴４の開口の周囲に設置したときに、自重で撓んで内部に落下することがない程度の剛性を有すればよく、集水体２は、透明性を有する樹脂材料で形成されている。集水体２は、透明性を有することで、太陽光を穴４の内部に導くことができる。なお、集水体２の形状は、略円板状に限らず、矩形状であってもよい。
【００３４】
また、集水体２は、裏面の中心に凸状部２ａを有している。この凸状部２ａを穴４の内部に位置させることにより、集水体２に結露した水分は、この先端付近に案内される。なお、実施形態では、凸状部２ａは、略円錐形状であるが、三角錐又は四角錐あるいは針状などであってもよい。
【００３５】
図７は、貯留容器３を示す、（ａ）上面図、（ｂ）側面図である。
図７に示される貯留容器３は、集水体２で集水された水分を貯留するものである。この貯留容器３は、樹脂材料製で、底面（ただし、設置時は上方となる面。）が開放され、先端が尖った略円錐形状に形成されている。貯留容器３は、尖った先端が地中に埋め込まれ固定される（図５参照）。
【００３６】
また、貯留容器３は、底面付近に貯留容器３の内外を連通する通気穴３ａを有している。この通気穴３ａは、円錐面の少なくとも１か所、好ましくは２か所以上に穿設されている。実施形態では、通気穴３ａは、４か所に等間隔に穿設されている。
【００３７】
さらに、貯留容器３は、折畳みが可能に形成されており、折畳むと平坦な板状となる。ただし、貯留容器３は、複数のパーツから組立又は分解可能に形成されてもよい。
【００３８】
（設置方法）
まず、地面に所定の大きさの穴４を掘り、集水キット１０の貯留容器３を、開放された底面が上方となるように、尖った先端を地面に掘られた穴４の底に突き刺し埋め込んで設置する。
【００３９】
つぎに、集水キット１の集水体２を、地面に掘られた穴４の開口を塞ぐように、裏面の凸状部２ａを下向きに設置する。このとき、集水体２の下方の裏面と、貯留容器３の上方の底面とは、所定の隙間を有するように設置されるが、隙間を有すれば、集水体２と貯留容器３とを連結して設置してもよい。集水体２と貯留容器３とを連結することで、貯留容器３の姿勢を安定させることができる。
【００４０】
このようにして、携帯可能な集水キット１を、簡単に穴４に設置することができる。なお、滴下した水分の収集及び貯留は、この貯留容器３に限らず、ＰＥＴボトルなど汎用の容器を設置して行ってもよく、この貯留容器３の内部にＰＥＴボトルなどを設置し行ってもよい。
【００４１】
ところで、この貯留容器３は、上方に通気穴３ａを有しているため、貯留容器３の内側に、空気は流れ込み可能である。それゆえ、集水体２は、上面視で貯留容器３の内側領域に位置する裏面にも、水分を含んだ新たな空気を順次接触させることができる。
【００４２】
このようにして、集水キット１は、大気中の水分を結露させて収集し、貯留容器３に水分を貯留することができる。
【００４３】
以上のとおり、本考案の実施形態に係る集水キット１，１０は、大気中の水分を結露させて収集するものであって、透明性を有する樹脂材料で形成された集水体２，２０を備え、集水体２，２０は、結露した水分を案内する凸状部２ａ，２１を有することを特徴とする。
【００４４】
これにより、集水キット１，１０は、集水体２，２０を穴４の開口に合わせて設置するだけで、大気中の水分を集水体２，２０に結露させることができ、結露した水分を凸状部２ａ，２１の先端に案内することができる。
【００４５】
本実施形態では、凸状部２ａ，２１は、円錐状である。これにより、集水体２，２０に結露した水分を効率よく収集することができる。
【００４６】
本実施形態では、凸状部２１は、着脱可能である。これにより、雨天の場合は、ノズル２２に取り替えて、雨水を集水することができる。
【００４７】
本実施形態では、集水キット１０は、集水体２０を設置する設置手段を備える。これにより、集水体２０を、穴４の周囲に簡単に設置することができる。
【００４８】
本実施形態では、集水体２，２０で集水された水分を貯留する貯留容器３，３０を備える。これにより、集水体２，２０で集水され滴下する水分を、貯留容器３，３０に貯留することができる。また、貯留容器３と集水体２とを連結することで、貯留容器３の姿勢を安定させることができ、貯留容器３が十分に水分を貯留した場合でも、貯留容器３が穴４の内部で転倒することがない。
【００４９】
本実施形態では、集水キット１，１０は、携帯可能であり、更に、集水体２０は、貯留容器３０に収納可能である。これにより、集水キット１，１０の保管や持ち運びが容易となり、災害時でも家から持ち出すことができるし、避難先で簡単に使用することができる。また、集水体２０を構成する本体２０ａ、傘骨２０ｂ，２０ｃ、凸状部２１、ノズル２２などが、貯留容器３０に収納可能であるから、保管スペースも少なくてよく、また、貯留容器３０を持ち出すだけで、集水キット１を組み立てることができる。
【００５０】
本実施形態では、貯留容器３は、通気穴３ａを有する。これにより、穴４の空気が対流などによって、貯留容器３の内側に流れ込むことができるため、集水体２に水分を含んだ新たな空気を供給することができる。
【００５１】
以上、本考案の好ましい実施形態について詳述したが、本考案は上述した実施形態に限定されるものではなく、実用新案登録請求の範囲に記載された本考案の要旨の範囲内において、種々の変形、変更が可能である。
【符号の説明】
【００５２】
１      集水キット
２      集水体、２ａ  凸状部
３      貯留容器、３ａ  通気穴
４      穴
１０    集水キット
２０    集水体、２０ａ  本体、２０ｂ  傘骨、２０ｃ  傘骨（設置手段）、２０ｄ  ループ
２１    凸状部
２２    ノズル
３０    貯留容器
【図１】
0003206618.tif 000003
【図２】
0003206618.tif 000004
【図３】
0003206618.tif 000005
【図４】
0003206618.tif 000006
【図５】
0003206618.tif 000007
【図６】
0003206618.tif 000008
【図７】
0003206618.tif 000009